【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
メディア露出をクレジットする方法であって：
複数の回答者のそれぞれの者によって通り抜けられた複数の移動経路を導出すること；
前記複数の回答者の前記それぞれの者の複数のメディア・サイトに対する露出を、前記導出した複数の移動経路を基礎として、第１テクニックによって決定すること；および、
前記決定した露出を前記第１テクニックとは異なる第２テクニックによって獲得した前記複数のメディア・サイトに関する露出情報に基づいて制約することによって、前記複数のメディア・サイトに対する前記決定した露出を修正し、前記修正した決定した露出の統計的精度を向上させること；
を包含する方法。
【請求項２】
さらに：
前記決定した露出を制約する前に前記決定した露出に関連付けされる平均値に基づいて、前記決定した露出を前記決定した露出を制約した後に修正すること、
を包含する請求項１に記載の方法。
【請求項３】
前記複数の回答者の前記それぞれの者によって通り抜けられた複数の移動経路を導出することは：
電子デバイスによって記録された回答者の場所を表すデータを処理し、前記記録されたデータの完全性または精度のうちの少なくとも１つを向上させること；
前記処理したデータから位置決定のシーケンスを導出すること；および、
前記導出した位置決定を修正して既知の移動コースに整列させること；
を包含する請求項１に記載の方法。
【請求項４】
前記複数の回答者の前記それぞれの者の前記複数のメディア・サイトに対する露出を、前記導出した複数の移動経路を基礎として決定することは：
メディア・サイトに関連付けされる影響力ゾーンおよび好ましい移動方向を決定すること；および、
回答者が前記影響力ゾーン内を前記好ましい方向のうちの少なくとも１つの方向に通り抜けたとき、前記メディア・サイトに対してメディア露出をクレジットすること；
を包含する請求項１に記載の方法。
【請求項５】
前記複数のメディア・サイトに対する前記決定した露出を修正し、前記修正した決定した露出の前記統計的精度を向上させることは、前記第２テクニックによって獲得された前記露出情報の統計値と前記修正した決定した露出に関連付けされる統計値との差に関連付けされる少なくとも１つの制約を満たすべくメディア・サイト露出データを反復的に修正することを包含する、請求項１に記載の方法。
【請求項６】
メモリに結合されたプロセッサを包含する装置であって、前記プロセッサが：
複数の回答者のそれぞれの者によって通り抜けられた複数の移動経路を導出し；
前記複数の回答者の前記それぞれの者の複数のメディア・サイトに対する露出を、前記導出した複数の移動経路を基礎として、第１テクニックによって決定し；かつ、
前記決定した露出を前記第１テクニックとは異なる第２テクニックによって獲得した前記複数のメディア・サイトに関する露出情報に基づいて制約することによって、前記複数のメディア・サイトに対する前記決定した露出を修正し、前記修正した決定した露出の統計的精度を向上させるべくプログラムされる装置。
【請求項７】
前記プロセッサは：
前記決定した露出を制約する前に前記決定した露出に関連付けされる平均値に基づいて、前記決定した露出を前記決定した露出を制約した後に修正するべくプログラムされる、請求項６に記載の装置。
【請求項８】
前記プロセッサは、前記複数の回答者の前記それぞれの者によって通り抜けられた複数の移動経路を：
電子デバイスによって記録された回答者の場所を表すデータを処理し、前記記録されたデータの完全性または精度のうちの少なくとも１つを向上させること；
前記処理したデータから位置決定のシーケンスを導出すること；および、
前記導出した位置決定を修正して既知の移動コースに整列させること；
によって導出するべくプログラムされる、請求項６に記載の装置。
【請求項９】
前記プロセッサは、前記複数の回答者の前記それぞれの者の前記複数のメディア・サイトに対する露出を、前記導出した複数の移動経路を基礎とし：
メディア・サイトに関連付けされる影響力ゾーンおよび好ましい移動方向を決定すること；および、
回答者が前記影響力ゾーン内を前記好ましい方向のうちの少なくとも１つの方向に通り抜けたとき、前記メディア・サイトに対してメディア露出をクレジットすること；
によって決定するべくプログラムされる、請求項６に記載の装置。
【請求項１０】
前記プロセッサは、前記第２テクニックによって獲得された前記露出情報の統計値と前記修正した決定した露出に関連付けされる統計値との差に関連付けされる少なくとも１つの制約を満たすべくメディア・サイト露出データを反復的に修正することによって前記複数のメディア・サイトに対する前記決定した露出を修正し、前記修正した決定した露出の前記統計的精度を向上させるべくプログラムされる、請求項６に記載の装置。
【請求項１１】
インストラクションがストアされた機械可読メディアであって、実行時に機械に：
複数の回答者のそれぞれの者によって通り抜けられた複数の移動経路を導出させ；
前記複数の回答者の前記それぞれの者の複数のメディア・サイトに対する露出を、前記導出した複数の移動経路を基礎として、第１テクニックによって決定させ；かつ、
前記決定した露出を前記第１テクニックとは異なる第２テクニックによって獲得した前記複数のメディア・サイトに関する露出情報に基づいて制約することによって、前記複数のメディア・サイトに対する前記決定した露出を修正させ、前記修正した決定した露出の統計的精度を向上させるインストラクションがストアされた機械可読メディア。
【請求項１２】
メディア・サイト露出データの統計的精度を修正するための方法であって：
第１テクニックによって前記メディア・サイト露出データを獲得すること；および、
前記メディア・サイト露出データを前記第１テクニックとは異なる第２テクニックによって獲得した前記露出情報に基づいて制約することによって前記メディア・サイト露出データを修正すること；
を包含する方法。
【請求項１３】
さらに、前記メディア・サイト露出データを制約する前に前記メディア・サイト露出データに関連付けされる平均値に基づいて、前記メディア・サイト露出データを前記メディア・サイト露出データを制約した後に修正することを包含する、請求項１２に記載の方法。
【請求項１４】
さらに、前記第２テクニックによって獲得された前記露出情報の統計値と前記修正したメディア・サイト露出データに関連付けされる統計値との差に関連付けされる制約を満たすべく前記メディア・サイト露出データの前記修正を反復することを包含する、請求項１２に記載の方法。
【請求項１５】
さらに、最大数の反復が生じたときに前記メディア・サイト露出データの修正の前記反復を終了することを包含する、請求項１３に記載の方法。
【請求項１６】
さらに、あらかじめ決定済みの収斂評価基準が満たされたときに前記メディア・サイト露出データの修正の前記反復を終了することを包含する、請求項１３に記載の方法。
【請求項１７】
前記メディア・サイト露出データを制約することは、前記メディア・サイト露出データを、あらかじめ決定済みの範囲内に制限することを包含する、請求項１２に記載の方法。
【請求項１８】
前記第２テクニックに関連付けされる前記露出情報は、交通監査局（Ｔｒａｆｆｉｃ  Ａｕｄｉｔ  Ｂｕｒｅａｕ）の交通量調査データを包含する、請求項１２に記載の方法。
【請求項１９】
前記統計値は平均値を包含する、請求項１３に記載の方法。
【請求項２０】
さらに、欠落している人口統計データを負わせるべく前記メディア・サイト露出データを修正することを包含する、請求項１２に記載の方法。
【請求項２１】
欠落している人口統計データを負わせるべくデータ融合が使用される、請求項２０に記載の方法。
【請求項２２】
さらに、前記修正されたメディア・サイト露出データから到達頻度および到達率を生成することを包含する、請求項１２に記載の方法。
【請求項２３】
メディア露出をクレジットする方法であって：
モバイル・メディア・サイトに関連付けされる影響力ゾーンおよび好ましい移動方向を決定すること；および、
回答者が前記影響力ゾーン内を前記好ましい方向のうちの少なくとも１つの方向に通り抜けたとき、前記モバイル・メディア・サイトに対してメディア露出をクレジットすること；
を包含する方法。
【請求項２４】
前記モバイル・メディア・サイトに関連付けされる前記影響力ゾーンは、半径および可視角度によって定義される一時的な幾何学的領域を包含する、請求項２３に記載の方法。
【請求項２５】
前記半径は、前記モバイル・メディア・サイトおよびメディアの型に関連付けされる、請求項２４に記載の方法。
【請求項２６】
前記可視角度は、前記モバイル・メディア・サイトおよび前記モバイル・メディア・サイトが面する方向に関連付けされる、請求項２４に記載の方法。
【請求項２７】
前記モバイル・メディア・サイトに関連付けされる前記好ましい移動方向は、最大回答者視角および前記モバイル・メディア・サイトが面する方向に関連付けされる、請求項２４に記載の方法。
【請求項２８】
前記モバイル・メディア・サイトに関連付けされる前記好ましい移動方向は、最大回答者視角および前記モバイル・メディア・サイトが面する方向を基礎とする、請求項２３に記載の方法。
【請求項２９】
さらに、前記回答者によって通り抜けられた複数の場所を指定するデータ内に存在するギャップを埋めることを包含する、請求項２３に記載の方法。
【請求項３０】
さらに、前記回答者によって通り抜けられた場所を指定するデータを修正することを包含する、請求項２３に記載の方法。
【請求項３１】
前記回答者が前記影響力ゾーン内を前記好ましい方向のうちの前記少なくとも１つの方向に通り抜けたときに前記モバイル・メディア・サイトに対して前記メディア露出をクレジットすることは、日中の時間帯または前記モバイル・メディア・サイトが照明されている時間期間の間の前記影響力ゾーン内の通り抜けを包含する、請求項２３に記載の方法。
【請求項３２】
前記日中の時間帯は、複数の月についての平均、気象データ、または自然光測定デバイスのうちの１つを基礎とする、請求項３１に記載の方法。
【請求項３３】
さらに、前記回答者が前記影響力ゾーンを最小時間期間にわたって離れ、その後前記影響力ゾーン内を前記好ましい方向のうちの前記少なくとも１つの方向に通り抜けたとき、前記モバイル・メディア・サイトに対して追加の回数のメディア露出をクレジットすることを包含する、請求項２３に記載の方法。
【請求項３４】
前記モバイル・メディア・サイトの場所は、前記モバイル・メディア・サイトのスケジュールされた移動を基礎として決定される、請求項２３に記載の方法。
【請求項３５】
前記モバイル・メディア・サイトの場所は、衛星ポジショニング・システムを使用して決定される、請求項２３に記載の方法。
【請求項３６】
メディア露出をクレジットするための装置であって、メモリに結合されたプロセッサを包含し、前記プロセッサが：
モバイル・メディア・サイトに関連付けされる影響力ゾーンおよび好ましい移動方向を決定し；かつ、
回答者が前記影響力ゾーン内を前記好ましい方向のうちの少なくとも１つの方向に通り抜けたとき、前記モバイル・メディア・サイトに対してメディア露出をクレジットするべくプログラムされる装置。
【請求項３７】
前記モバイル・メディア・サイトに関連付けされる前記影響力ゾーンは、半径および可視角度によって定義される一時的な幾何学的領域を包含する、請求項３６に記載の装置。
【請求項３８】
前記半径は前記モバイル・メディア・サイトおよびメディアの型に関連付けされ、前記可視角度は前記モバイル・メディア・サイトおよび前記モバイル・メディア・サイトが面する方向に関連付けされ、前記モバイル・メディア・サイトに関連付けされる前記好ましい移動方向は、最大回答者視角および前記モバイル・メディア・サイトが面する方向を基礎とする、請求項３７に記載の装置。
【請求項３９】
前記プロセッサは、前記回答者によって通り抜けられた複数の場所を指定するデータ内に存在するギャップを埋めるべくプログラムされる、請求項３６に記載の装置。
【請求項４０】
前記プロセッサは、前記回答者が前記影響力ゾーン内を前記好ましい方向のうちの前記少なくとも１つの方向に、日中の時間帯または前記モバイル・メディア・サイトが照明されている時間期間の間に通り抜けたときに前記モバイル・メディア・サイトに対して前記メディア露出をクレジットするべくプログラムされる、請求項３６に記載の装置。
【請求項４１】
前記プロセッサは、前記回答者が前記影響力ゾーンを最小時間期間にわたって離れ、その後前記影響力ゾーン内を前記好ましい方向のうちの前記少なくとも１つの方向に通り抜けたとき、前記モバイル・メディア・サイトに対して追加の回数のメディア露出をクレジットするべくプログラムされる、請求項３６に記載の装置。
【請求項４２】
前記モバイル・メディア・サイトの場所は、前記モバイル・メディア・サイトのスケジュールされた移動を基礎として決定される、請求項３６に記載の装置。
【請求項４３】
前記モバイル・メディア・サイトの場所は、衛星ポジショニング・システムを使用して決定される、請求項３６に記載の装置。
【請求項４４】
インストラクションがストアされた機械可読メディアであって、実行時に機械に：
モバイル・メディア・サイトに関連付けされる影響力ゾーンおよび好ましい移動方向を決定させ；かつ、
回答者が前記影響力ゾーン内を前記好ましい方向のうちの少なくとも１つの方向に通り抜けたとき、前記モバイル・メディア・サイトに対してメディア露出をクレジットさせるインストラクションがストアされた機械可読メディア。
【請求項４５】
前記モバイル・メディア・サイトに関連付けされる前記影響力ゾーンは、半径および可視角度によって定義される一時的な幾何学的領域を包含する、請求項４４に記載の機械可読メディア。
【請求項４６】
前記半径は前記モバイル・メディア・サイトおよびメディアの型に関連付けされ、前記可視角度は前記モバイル・メディア・サイトおよび前記モバイル・メディア・サイトが面する方向に関連付けされ、前記モバイル・メディア・サイトに関連付けされる前記好ましい移動方向は、最大回答者視角および前記モバイル・メディア・サイトが面する方向を基礎とする、請求項４４に記載の機械可読メディア。
【請求項４７】
前記プロセッサは、前記回答者によって通り抜けられた複数の場所を指定するデータ内に存在するギャップを埋めるべくプログラムされる、請求項４４に記載の機械可読メディア。
【請求項４８】
前記インストラクションは、実行時に前記機械に、前記回答者が前記影響力ゾーン内を前記好ましい方向のうちの前記少なくとも１つの方向に、日中の時間帯または前記モバイル・メディア・サイトが照明されている時間期間の間に通り抜けたときに前記モバイル・メディア・サイトに対して前記メディア露出をクレジットさせる、請求項４４に記載の機械可読メディア。
【請求項４９】
前記インストラクションは、実行時に前記機械に、前記回答者が前記影響力ゾーンを最小時間期間にわたって離れ、その後前記影響力ゾーン内を前記好ましい方向のうちの前記少なくとも１つの方向に通り抜けたとき、前記モバイル・メディア・サイトに対して追加の回数のメディア露出をクレジットさせる、請求項４４に記載の機械可読メディア。
【請求項５０】
前記モバイル・メディア・サイトの場所は、前記モバイル・メディア・サイトのスケジュールされた移動を基礎として決定される、請求項４４に記載の機械可読メディア。
【請求項５１】
前記モバイル・メディア・サイトの場所は、衛星ポジショニング・システムを使用して決定される、請求項４４に記載の機械可読メディア。
【請求項５２】
メディア露出をクレジットする方法であって：
メディア・サイトに関連付けされる影響力ゾーンを決定すること；
回答者が前記影響力ゾーン内を通り抜けたとき、前記メディア・サイトに対してメディア露出をクレジットすること；
前記回答者が前記影響力ゾーン内から離れてから前記影響力ゾーンに再入する間の時間の長さと、前記影響力ゾーン内の前記回答者の第１位置と前記影響力ゾーン内の前記回答者の第２位置との間の距離と、のうちの少なくとも１つを決定すること；および、
前記時間の長さがあらかじめ決定済みの最低時間より長い場合、または、前記第１位置と前記第２位置との間の距離があらかじめ決定済みの最低距離より長い場合は、前記メディア・サイトに対するメディア露出に追加時間をクレジットすること；
を包含する方法。
【請求項５３】
前記影響力ゾーンは、半径および可視角度によって定義される幾何学的領域を包含する、請求項５２に記載の方法。
【請求項５４】
さらに、前記回答者が前記影響力ゾーンを好ましい移動方向に通り抜けたときのみ前記メディア・サイトに対する前記メディア露出に前記追加時間をクレジットすることを包含する、請求項５２に記載の方法。
【請求項５５】
前記好ましい移動方向は、最大回答者視角および前記メディア・サイトが面する方向に基づく、請求項５４に記載の方法。
【請求項５６】
前記メディア・サイトはモバイル・メディア・サイトであって、前記影響力ゾーンは前記モバイル・メディア・サイトとともに移動する、請求項５２に記載の方法。
【請求項５７】
メディア・サイトにジオコード・ロケーション・データが利用可能であるか否かを決定すること、および
ジオコード・ロケーション・データが利用できない場合には、前記メディア・サイトのテキストによる場所の記述を基礎として前記メディア・サイトのためのジオコード・ロケーション・データを導出すること、
を包含する方法。
【請求項５８】
前記メディア・サイトのためのジオコード・ロケーション・データを導出することは、既知の移動コース、既知の場所、または前記テキストによる場所の記述の中に含まれている参照ポイントのうちの少なくとも１つのための既知のジオコード・ロケーション・データを使用することを包含する、請求項５７に記載の方法。
【請求項５９】
前記メディア・サイトのためのジオコード・ロケーション・データは、前記既知の移動コース、前記既知の場所、または前記テキストによる場所の記述の中に含まれている前記参照ポイントのうちの前記少なくとも１つのための前記既知のジオコード・ロケーション・データを補間することによって決定される、請求項５８に記載の方法。
【請求項６０】
前記メディア・サイトのためのジオコード・ロケーション・データを導出することはマニュアルで実行される、請求項５７に記載の方法。
【請求項６１】
前記メディア・サイトのためのジオコード・ロケーション・データを導出することは処理デバイスによって実行される、請求項５７に記載の方法。
【請求項６２】
メモリに結合されたプロセッサを包含する装置であって、前記プロセッサが：
メディア・サイトにジオコード・ロケーション・データが利用可能であるか否かを決定し、かつ、
ジオコード・ロケーション・データが利用可能でない場合には、前記メディア・サイトのテキストによる場所の記述を基礎として前記メディア・サイトのためのジオコード・ロケーション・データを導出するべくプログラムされる装置。
【請求項６３】
前記プロセッサは、前記メディア・サイトのためのジオコード・ロケーション・データを、既知の移動コース、既知の場所、または前記テキストによる場所の記述の中に含まれている参照ポイントのうちの少なくとも１つのための既知のジオコード・ロケーション・データを使用することによって導出するべくプログラムされる、請求項６２に記載の装置。
【請求項６４】
前記プロセッサは、前記メディア・サイトのためのジオコード・ロケーション・データを、前記既知の移動コース、前記既知の場所、または前記テキストによる場所の記述の中に含まれている前記参照ポイントのうちの前記少なくとも１つのための前記既知のジオコード・ロケーション・データを補間することによって決定するべくプログラムされる、請求項６２に記載の装置。
【請求項６５】
インストラクションがストアされた機械可読メディアであって、実行時に機械に：
ジオコード・ロケーション・データがメディア・サイトに利用可能であるか否かを決定させ、かつ、
ジオコード・ロケーション・データが利用可能でない場合には、前記メディア・サイトのテキストによる場所の記述を基礎として前記メディア・サイトのためのジオコード・ロケーション・データを導出させる、インストラクションがストアされた機械可読メディア。
【請求項６６】
前記インストラクションは、実行時に前記機械に、前記メディア・サイトのためのジオコード・ロケーション・データを、既知の移動コース、既知の場所、または前記テキストによる場所の記述の中に含まれている参照ポイントのうちの少なくとも１つのための既知のジオコード・ロケーション・データを使用することによって導出させる、請求項６５に記載の機械可読メディア。
【請求項６７】
前記インストラクションは、実行時に前記機械に、前記メディア・サイトのためのジオコード・ロケーション・データを、前記既知の移動コース、前記既知の場所、または前記テキストによる場所の記述の中に含まれている前記参照ポイントのうちの前記少なくとも１つのための前記既知のジオコード・ロケーション・データを補間することによって決定させる、請求項６５に記載の機械可読メディア。
【請求項６８】
イメージを獲得すること；
前記イメージ上においてメディア・サイトを探し出すこと；および、
前記探し出したメディア・サイトを前記メディア・サイトに利用可能なジオコード・ロケーション・データと比較して、前記メディア・サイトに利用可能な前記ジオコード・ロケーション・データを検証すること；
を包含する方法。
【請求項６９】
前記イメージ上において前記メディア・サイトを探し出すことはマニュアルで実行される、請求項６８に記載の方法。
【請求項７０】
前記イメージ上において前記メディア・サイトを探し出すことは処理デバイスによって実行される、請求項６８に記載の方法。
【請求項７１】
前記イメージ上において前記メディア・サイトを探し出すことは、イメージ認識テクニックまたはイメージ・マッチング・テクニックのうちの少なくとも１つを使用することを包含する、請求項７０に記載の方法。
【請求項７２】
前記イメージ上において前記メディア・サイトを探し出すことは、既知の移動コース、既知の場所、または前記テキストによる場所の記述の中に含まれている参照ポイントのうちの少なくとも１つのための既知のジオコード・ロケーション・データを使用することを包含する、請求項６８に記載の方法。
【請求項７３】
さらに、前記メディア・サイトのためのジオコード・ロケーション・データを、前記既知の移動コース、前記既知の場所、または前記テキストによる場所の記述の中に含まれている前記参照ポイントのうちの前記少なくとも１つのための前記既知のジオコード・ロケーション・データを補間することによって決定することを包含する、請求項７２に記載の方法。
【請求項７４】
前記探し出したメディア・サイトを前記利用可能なジオコード・ロケーション・データと比較することはマニュアルで実行される、請求項６８に記載の方法。
【請求項７５】
前記イメージは、ディジタル表現、ディジタル・スキャン、ディジタル・イメージ、空撮写真の紙プリント、衛星写真、衛星イメージ、または写真のうちの少なくとも１つを含む、請求項６８に記載の方法。
【請求項７６】
さらに、前記探し出したメディア・サイトを前記メディア・サイトに利用可能なジオコード・ロケーション・データと比較することによって前記メディア・サイトに利用可能な前記ジオコード・ロケーション・データを補正することを包含する、請求項６８に記載の方法。
【請求項７７】
メモリに結合されたプロセッサを包含する装置であって、前記プロセッサが：
イメージを獲得し；
前記イメージ上においてメディア・サイトを探し出し；かつ、
前記探し出したメディア・サイトを前記メディア・サイトに利用可能なジオコード・ロケーション・データと比較して、前記メディア・サイトに利用可能な前記ジオコード・ロケーション・データを検証するべくプログラムされる装置。
【請求項７８】
前記プロセッサは、前記イメージ上においてメディア・サイトを、イメージ認識テクニックまたはイメージ・マッチング・テクニックのうちの少なくとも１つを使用することによって探し出すべくプログラムされる、請求項７７に記載の装置。
【請求項７９】
前記プロセッサは、前記イメージ上においてメディア・サイトを、既知の移動コース、既知の場所、または前記テキストによる場所の記述の中に含まれている参照ポイントのうちの少なくとも１つのための既知のジオコード・ロケーション・データを使用することによって探し出すべくプログラムされる、請求項７７に記載の装置。
【請求項８０】
前記プロセッサは、前記メディア・サイトのためのジオコード・ロケーション・データを、前記既知の移動コース、前記既知の場所、または前記テキストによる場所の記述の中に含まれている前記参照ポイントのうちの前記少なくとも１つのための前記既知のジオコード・ロケーション・データを補間することによって決定するべくプログラムされる、請求項７９に記載の装置。
【請求項８１】
前記イメージは、ディジタル表現、ディジタル・スキャン、ディジタル・イメージ、空撮写真の紙プリント、衛星写真、衛星イメージ、または写真のうちの少なくとも１つを含む、請求項７７に記載の装置。
【請求項８２】
前記プロセッサは、前記探し出したメディア・サイトを前記メディア・サイトに利用可能なジオコード・ロケーション・データと比較することによって前記メディア・サイトに利用可能な前記ジオコード・ロケーション・データを補正するべくプログラムされる、請求項７７に記載の装置。
【請求項８３】
インストラクションがストアされた機械可読メディアであって、実行時に機械に：
イメージを獲得させ；
前記イメージ上においてメディア・サイトを探し出させ；かつ、
前記探し出したメディア・サイトを前記メディア・サイトに利用可能なジオコード・ロケーション・データと比較させ、前記メディア・サイトに利用可能な前記ジオコード・ロケーション・データを検証させるインストラクションがストアされた機械可読メディア。
【請求項８４】
前記インストラクションは、実行時に前記機械に、前記イメージ上においてメディア・サイトを、イメージ認識テクニックまたはイメージ・マッチング・テクニックのうちの少なくとも１つを使用することによって探し出させる、請求項８３に記載の機械可読メディア。
【請求項８５】
前記インストラクションは、実行時に前記機械に、前記イメージ上においてメディア・サイトを、既知の移動コース、既知の場所、または前記テキストによる場所の記述の中に含まれている参照ポイントのうちの少なくとも１つのための既知のジオコード・ロケーション・データを使用することによって探し出させる、請求項８３に記載の機械可読メディア。
【請求項８６】
前記インストラクションは、実行時に前記機械に、前記メディア・サイトのためのジオコード・ロケーション・データを、前記既知の移動コース、前記既知の場所、または前記テキストによる場所の記述の中に含まれている前記参照ポイントのうちの前記少なくとも１つのための前記既知のジオコード・ロケーション・データを補間することによって決定させる、請求項８５に記載の機械可読メディア。
【請求項８７】
前記イメージは、ディジタル表現、ディジタル・スキャン、ディジタル・イメージ、空撮写真の紙プリント、衛星写真、衛星イメージ、または写真のうちの少なくとも１つを含む、請求項８３に記載の機械可読メディア。
【請求項８８】
前記インストラクションは、実行時に前記機械に、前記探し出したメディア・サイトを前記メディア・サイトに利用可能なジオコード・ロケーション・データと比較することによって前記メディア・サイトに利用可能な前記ジオコード・ロケーション・データを補正させる、請求項８３に記載の機械可読メディア。
【請求項８９】
イメージを読み取るべく構成されたイメージ・リーダ；
前記イメージ内においてメディア・サイトを探し出すべく構成されたイメージ処理エンジン；および、
前記探し出したメディア・サイトを前記メディア・サイトに利用可能なジオコード・ロケーション・データと比較して、前記メディア・サイトに利用可能な前記ジオコード・ロケーション・データを検証するべく構成された処理デバイス；
を包含する装置。